(57)【特許請求の範囲】
【請求項１】
メインフレームと、
前記メインフレームに取り付けられ、該メインフレームを収容する外装体と、
前記メインフレームに固定される基板と、
前記外装体に固定される基板と、
前記メインフレームに固定された基板と前記外装体に固定された基板とを接続するフレキシブルプリント基板であって、所定の深さの切れ込みが形成されたフレキシブルプリント基板と、
を備え、前記外装体が外されると、該外装体に引っ張られて前記フレキシブルプリント基板が前記切れ込みで破壊されることを特徴とするカメラ。
【請求項２】
メインフレームと、
前記メインフレームに取り付けられ、該メインフレームを収容する外装体と、
前記メインフレームに固定される基板と、
前記外装体に固定される基板と、
上層と下層とを接着剤で貼り合わせて２層で構成され、前記メインフレームに固定された基板と前記外装体に固定された基板とを接続するフレキシブルプリント基板と、
前記フレキシブルプリント基板の上層に形成され、前記メインフレームに接続される接続部と、
前記フレキシブルプリント基板の下層に形成され、前記外装体に接続される接続部と、
を備え、前記外装体が外されると、該外装体に引っ張られて前記フレキシブルプリント基板の上層と下層が剥離して破壊されることを特徴とするカメラ。
【請求項３】
前記フレキシブルプリント基板の上層に形成された接続部に形成される穴と、
前記フレキシブルプリント基板の下層に形成された接続部に形成される穴と、
前記メインフレームに形成されるフックと、
前記外装体に形成されるフックと、
を備え、前記フレキシブルプリント基板の上層に形成された接続部は、その穴に前記メインフレームに形成されたフックが引っ掛けられて、前記メインフレームに接続され、前記フレキシブルプリント基板の下層に形成された接続部は、その穴に前記外装体に形成されたフックが引っ掛けられて、前記外装体に接続されることを特徴とする請求項２に記載のカメラ。
【請求項４】
メインフレームと、
前記メインフレームに取り付けられ、該メインフレームを収容する外装体と、
前記メインフレームに固定される基板と、
前記外装体に固定される基板と、
前記メインフレームに固定された基板と前記外装体に固定された基板とを接続するフレキシブルプリント基板であって、コネクタを介して前記基板に接続されるフレキシブルプリント基板と、
を備え、前記外装体が外されると、該外装体に引っ張られて前記フレキシブルプリント基板がコネクタから再接続不能に外れることを特徴とするカメラ。
【請求項５】
前記コネクタは、前記フレキシブルプリント基板の先端部に取り付けられたオスコネクタと、前記基板に取り付けられたメスコネクタとで構成され、
前記オスコネクタは、前記フレキシブルプリント基板の先端に取り付けられるベース部と、該ベース部に分離可能に接着された分離部と、該分離部に形成された嵌合部とで構成され、
前記メスコネクタは、凹部を有し、該凹部に前記オスコネクタの嵌合部が嵌合されることを特徴とする請求項４に記載のカメラ。
【請求項６】
前記外装体は、フロントカバーとリアカバーとで構成され、前記メインフレームの前後にネジ止めされて取り付けられることを特徴とする請求項１〜４のいずれか一に記載のカメラ。
【発明の詳細な説明】
【０００１】
【発明の属する技術分野】
本発明はカメラに係り、特にリサイクル利用されるカメラに関する。
【０００２】
【従来の技術】
銀塩カメラの分野では、従来よりリサイクル利用されるカメラとしてレンズ付きフイルムが普及している。このようなレンズ付きフイルムは、行楽地などでカメラを携帯し忘れたときでも、その場で手軽に入手できるという利点がある。
【０００３】
一方、デジタルカメラも近年急速に高画素化が進んでおり、画質も銀塩カメラと遜色ないレベルに達していることから、銀塩カメラと同様に手軽に利用できるリサイクル可能なカメラの登場が望まれている。
【０００４】
ところで、このようにリサイクル利用されるカメラは安価で提供できることが前提となり、このためにもリサイクルをシステム化し、不正な再利用を防止する必要がある。
【０００５】
このような観点から特開平１１−２３４５４２号公報にはリサイクル利用可能なデジタルカメラとして、部品の交換時期を判断するためのデータを記録するメモリが備えられたデジタルカメラが開示されている。また、特開２０００−１９６９３１号公報には、撮影した画像データを暗号化することにより、販売店以外では復号化して読み出せないようにしたデジタルカメラが開示されている。また、特開２０００−１９６９９５号公報には、カメラに備えた不揮発性メモリに画像データ等をアナログ量として記録することにより、構成を簡略化したデジタルカメラが開示されている。
【０００６】
【発明が解決しようとする課題】
しかしながら、従来のリサイクルデジタルカメラでは、外装体を開き容易に分解等が可能であることから、メモリーカードの交換などにより容易に不正な再利用ができるという欠点がある。
【０００７】
本発明はこのような事情に鑑みてなされたもので、リサイクルをシステム化し、不正な再利用を防止できるカメラを提供することを目的とする。
【０００８】
【課題を解決するための手段】
請求項１に係る発明は、前記目的を達成するために、メインフレームと、前記メインフレームに取り付けられ、該メインフレームを収容する外装体と、前記メインフレームに固定される基板と、前記外装体に固定される基板と、前記メインフレームに固定された基板と前記外装体に固定された基板とを接続するフレキシブルプリント基板であって、所定の深さの切れ込みが形成されたフレキシブルプリント基板と、を備え、前記外装体が外されると、該外装体に引っ張られて前記フレキシブルプリント基板が前記切れ込みで破壊されることを特徴とするカメラを提供する。
【０００９】
また、請求項２に係る発明は、前記目的を達成するために、メインフレームと、前記メインフレームに取り付けられ、該メインフレームを収容する外装体と、前記メインフレームに固定される基板と、前記外装体に固定される基板と、上層と下層とを接着剤で貼り合わせて２層で構成され、前記メインフレームに固定された基板と前記外装体に固定された基板とを接続するフレキシブルプリント基板と、前記フレキシブルプリント基板の上層に形成され、前記メインフレームに接続される接続部と、前記フレキシブルプリント基板の下層に形成され、前記外装体に接続される接続部と、を備え、前記外装体が外されると、該外装体に引っ張られて前記フレキシブルプリント基板の上層と下層が剥離して破壊されることを特徴とするカメラを提供する。
また、請求項３に係る発明は、前記目的を達成するために、前記フレキシブルプリント基板の上層に形成された接続部に形成される穴と、前記フレキシブルプリント基板の下層に形成された接続部に形成される穴と、前記メインフレームに形成されるフックと、前記外装体に形成されるフックと、を備え、前記フレキシブルプリント基板の上層に形成された接続部は、その穴に前記メインフレームに形成されたフックが引っ掛けられて、前記メインフレームに接続され、前記フレキシブルプリント基板の下層に形成された接続部は、その穴に前記外装体に形成されたフックが引っ掛けられて、前記外装体に接続されることを特徴とする請求項２に記載のカメラを提供する。
【００１０】
本発明によれば、外装体を外すと、外装体の内側に配されたフレキシブルプリント基板が破壊され、使用不能になる。これにより、フレキシブルプリント基板自体を交換しない限り、カメラは再利用できなくなるので、効果的に不正な再利用を防止することができる。また、メーカー側ではフレキシブルプリント基板の交換のみで済み、安価なリサイクルシステムを構築することができる。
【００１１】
また、請求項４に係る発明は、前記目的を達成するために、メインフレームと、前記メインフレームに取り付けられ、該メインフレームを収容する外装体と、前記メインフレームに固定される基板と、前記外装体に固定される基板と、前記メインフレームに固定された基板と前記外装体に固定された基板とを接続するフレキシブルプリント基板であって、コネクタを介して前記基板に接続されるフレキシブルプリント基板と、を備え、前記外装体が外されると、該外装体に引っ張られて前記フレキシブルプリント基板がコネクタから再接続不能に外れることを特徴とするカメラを提供する。
また、請求項５に係る発明は、前記目的を達成するために、前記コネクタは、前記フレキシブルプリント基板の先端部に取り付けられたオスコネクタと、前記基板に取り付けられたメスコネクタとで構成され、前記オスコネクタは、前記フレキシブルプリント基板の先端に取り付けられるベース部と、該ベース部に分離可能に接着された分離部と、該分離部に形成された嵌合部とで構成され、前記メスコネクタは、凹部を有し、該凹部に前記オスコネクタの嵌合部が嵌合されることを特徴とする請求項４に記載のカメラを提供する。
また、請求項６に係る発明は、前記目的を達成するために、前記外装体は、フロントカバーとリアカバーとで構成され、前記メインフレームの前後にネジ止めされて取り付けられることを特徴とする請求項１〜４のいずれか一に記載のカメラを提供する。
【００１２】
本発明によれば、外装体を外すと、外装体の内側に配されたフレキシブルプリント基板がコネクタから再接続不能に外れ、使用不能になる。これにより、フレキシブルプリント基板自体を交換しなければ、カメラは再利用できなくなるので、効果的に不正な再利用を防止できる。また、メーカー側ではフレキシブルプリント基板又はコネクタの交換のみで済み、安価なリサイクルシステムを構築することができる。
【００１３】
【発明の実施の形態】
以下、添付図面に従って本発明に係るカメラの好ましい実施の形態について詳説する。
【００１４】
図１は本発明が適用されたデジタルカメラの分解斜視図である。このデジタルカメラ１０はリサイクル利用を目的としたカメラであり、たとえば、あらかじめ設定された枚数のみの撮影が可能とされている。ユーザーは、あらかじめ設定された枚数の撮影が終了すると、カメラごと販売店等に持ち込んでプリントを依頼し、あるいはコンパクトディスク等の媒体への書き込みを依頼する。
【００１５】
図１に示すように、外装カバーはフロントカバー１２Ａとリアカバー１２Ｂとで構成され、その内側にはデジタルカメラ１０を構成するプロセス基板１４、電源ストロボ基板１６、ＣＡＭ基板１８等の各種基板やレンズユニット２０、液晶モニタユニット２２、バッテリユニット２４等の各種構成部品がメインフレーム２８に支持された状態で収容されている。フロントカバー１２Ａとリアカバー１２Ｂは、このメインフレーム２８の前後に取り付けられ、ビスでネジ止めされて固定される。
【００１６】
リアカバー１２Ｂには、図２に示すように、操作ダイヤル３０、操作ボタン３２、レリーズボタン３４、電源ボタン３６等の各種ボタン類が配されている。リアカバー１２Ｂの内側には、図１に示すように、これらのボタン類に対応して操作ダイヤル基板３８、操作ボタン基板４０、レリーズ・電源ボタン基板４２が配され、前記各ボタン類が操作されると、各基板上に実装されたスイッチがオン／オフされて対応する機能が実行される。
【００１７】
ここで、図１に示すように、リアカバー１２Ｂ内に配される操作ダイヤル基板３８、操作ボタン基板４０、レリーズ・電源ボタン基板４２は、ビスによってリアカバー１２Ｂにネジ止めされ、リアカバー１２Ｂに一体的に固定される。そして、リアカバー１２Ｂにネジ止めされた操作ダイヤル基板３８とレリーズ・電源ボタン基板４２は、フレキシブルプリント基板３８Ａ、４２Ａを介して操作ボタン基板４０に接続され、操作ボタン基板４０は、フレキシブルプリント基板４０Ａによってメインフレーム２８に取り付けられたＣＡＭ基板１８に接続される。
【００１８】
図３は、フレキシブルプリント基板４０Ａの接続部の構成を示す平面図である。同図に示すように、フレキシブルプリント基板４０Ａは、先端部に板状のオスコネクタ４０ａを備えている。フレキシブルプリント基板４０Ａは、図４（ａ）に示すように、このオスコネクタ４０ａをＣＡＭ基板１８に設けられたメスコネクタ１８ａに差し込むことでＣＡＭ基板１８と電気的に接続される。
【００１９】
また、このフレキシブルプリント基板４０Ａには、オスコネクタ４０ａとの境界部分に両サイドから所定の深さをもって楔状の切れ込み４０ｂ、４０ｂが形成されており、ＣＡＭ基板１８に接続された状態で引っ張られると、図４（ｂ）に示すように、この切れ込み４０ｂ、４０ｂで破断される。
【００２０】
各種基板及びボタン類が取り付けられたリアカバー１２Ｂは、フレキシブルプリント基板４０Ａのオスコネクタ４０ａをＣＡＭ基板１８のメスコネクタ１８ａに接続したのち、ビスでメインフレーム２８にネジ止めされて固定される。
【００２１】
以上のように構成された本実施の形態のデジタルカメラ１０によれば、デジタルカメラ１０を分解する目的でリアカバー１２Ｂを外そうとすると、そのリアカバー１２Ｂを外す時の力でリアカバー１２Ｂに固定されたフレキシブルプリント基板４０Ａがリアカバー１２Ｂに引っ張られ、切れ込み４０ｂ、４０ｂから破断する。フレキシブルプリント基板４０Ａが破断したデジタルカメラ１０は、フレキシブルプリント基板４０Ａごと交換しない限り再利用することはできなくなるので、これにより、効果的に不正な再利用を防止することができる。
【００２２】
また、メーカーサイドでは、フレキシブルプリント基板４０Ａが破断した場合は、フレキシブルプリント基板４０Ａを交換するだけで、再び利用に供することができ、経済的な運用を行なうことができる。
【００２３】
さらに、リサイクルのシステム化が可能になり、リサイクル性が向上し、安価なリサイクルデジタルカメラを提供することができるようになる。
【００２４】
図５は、操作ボタン基板４０とＣＡＭ基板１８とを接続するフレキシブルプリント基板の第２の実施の形態の要部の構成を示す斜視図である。
【００２５】
同図に示すように、本実施の形態のフレキシブルプリント基板５０は、上層５０Ａと下層５０Ｂの２層で構成されている。上層５０Ａと下層５０Ｂは、接着剤で貼り合わされており、それぞれその先端部近傍には接続部５２Ａ、５２Ｂがサイドに張り出して形成されている。この接続部５２Ａ、５２Ｂには、それぞれ穴５２ａ、５２ｂが形成されており、この穴５２ａ、５２ｂにフック５４Ａ、５４Ｂが引っ掛けられる。このフック５４Ａ、５４Ｂはメインフレーム２８とリアカバー１２Ｂとに形成されている。
【００２６】
フレキシブルプリント基板５０は、図６（ａ）に示すように、そのオスコネクタ５０ａをＣＡＭ基板１８に形成されたメスコネクタ１８ａに挿入して接続したのち、上層５０Ａに形成された接続部５２Ａにメインフレーム２８に形成されたフック５４Ａを引っ掛け、下層５０Ｂに形成された接続部５２Ｂにリアカバー１２Ｂに形成されたフック５４Ｂを引っ掛ける。そして、この状態でリアカバー１２Ｂを閉め、ビスでネジ止めして固定する。
【００２７】
以上のように構成された第２の実施の形態のデジタルカメラによれば、デジタルカメラを分解する目的でリアカバー１２Ｂを外そうとすると、図６（ｂ）に示すように、そのリアカバー１２Ｂを外す時の力でリアカバー１２Ｂ側に引っ掛けられた下層５０Ｂがリアカバー１２Ｂに引っ張られ、上層５０Ａから剥離して内部線が破断する。これにより、上述した第１の実施の形態と同様にデジタルカメラは、フレキシブルプリント基板５０ごと交換しない限り再利用することはできなくなり、効果的に不正な再利用を防止することができる。
【００２８】
図７は操作ボタン基板４０とＣＡＭ基板１８とを接続するフレキシブルプリント基板の第３の実施の形態の要部の構成を示す斜視図である。
【００２９】
同図に示すように、フレキシブルプリント基板６０とＣＡＭ基板１８は、フレキシブルプリント基板６０の先端部に取り付けられたオスコネクタ６２をＣＡＭ基板１８に取り付けられたメスコネクタ６４に差し込むことで接続される。
【００３０】
オスコネクタ６２は、ベース部６２Ａと分離部６２Ｂとで構成されている。ベース部６２Ａは、板状に形成されており、フレキシブルプリント基板６０の先端に取り付けられている。一方、分離部６２Ｂは、矩形のブロック状に形成されており、ベース部６２Ａ上に仮着されている。すなわち、一定の力で引っ張ることにより、ベース６２Ａから分離可能な状態で接着されている。この分離部６２Ｂ上には、ブロック状に形成された嵌合部６２Ｃが一体的に成形されている。フレキシブルプリント基板６０に配された内部線６６、６６、…は、この分離部６２Ｂの内側を通って嵌合部６２Ｃの先端に形成された接続面６２ｃに配される。
【００３１】
一方、メスコネクタ６４は、矩形のブロック状に形成されており、その表面に図示しない凹部が形成されている。この凹部はオスコネクタ６２の嵌合部６２Ｃを嵌合可能に形成されており、この凹部にオスコネクタ６２の嵌合部６２Ｃを嵌合させることにより、図８に示すように、オスコネクタ６２とメスコネクタ６４とが互いに接続される。
【００３２】
また、このメスコネクタ６４には、図示しないロック機構が備えられており、オスコネクタ６２の嵌合部６２Ｃを凹部に嵌合させると、オスコネクタ６２をロックする。ロック機構としては、たとえば、凹部の内壁面に半球状の突起を形成するとともに、嵌合部６２Ｃの外周面に半球状の穴を形成し、嵌合部６２Ｃが嵌合されると、その嵌合部６２Ｃに形成された穴に突起が嵌まり込んでロックされるように構成する。
【００３３】
デジタルカメラは、フレキシブルプリント基板６０のオスコネクタ６２をＣＡＭ基板１８のメスコネクタ６４に接続したのち、リアカバー１２Ｂを閉めてビスでメインフレーム２８に固定される。
【００３４】
以上のように構成された第３の実施の形態のデジタルカメラによれば、デジタルカメラを分解する目的でリアカバー１２Ｂを外そうとすると、そのリアカバー１２Ｂを外す時の力でフレキシブルプリント基板６０が引っ張られ、オスコネクタ６２の分離部６２Ｂがベース部６２Ａから分離する。
【００３５】
この際、フレキシブルプリント基板６０は、図９に示すように内部線６６、６６、…のみをベース部６２Ａ上に残してメスコネクタ６４から引き抜かれる。そして、メスコネクタ６４には凹部に嵌合部６２Ｃが嵌合した状態で分離部６２Ｂが残存する。
【００３６】
ベース部６２Ａ上に残された内部線６６、６６、…は、薄く折れやすいため、再び分離部６２Ｂ内に通すことはできず、再度利用することはできなくなる。これにより、上述した第１及び第２の実施の形態と同様に効果的に不正な再利用を防止することができる。
【００３７】
なお、メスコネクタ６４に残存した分離部６２Ｃは専用の治具等によってメスコネクタ６４から回収するようにすることが好ましい。また、メスコネクタごと交換するようにしてもよい。
【００３８】
以上一連の実施の形態で説明したように、本発明に係るデジタルカメラによれば、リアカバー１２Ｂを外すと、内部に配されたフレキシブルプリント基板が破壊され、あるいはコネクタが再接続不能に外れる。これにより、効果的に不正な再利用を防止することができる。また、リサイクルのシステム化が可能になり、リサイクル性が向上して、安価なリサイクルデジタルカメラを提供することができるようになる。
【００３９】
なお、上記一連の実施の形態では、操作ボタン基板４０とＣＡＭ基板１８とを接続するフレキシブルプリント基板を破壊する例で説明したが、その他のフレキシブルプリント基板が破壊されるように構成してもよい。
【００４０】
また、本実施の形態では、リアカバー１２Ｂを外すとフレキシブルプリント基板が破壊される例で説明したが、フロントカバー１２Ａについても同様に構成し、取り外すと内部のフレキシブルプリント基板が破壊されるようにすることが好ましい。
【００４１】
さらに、上記の実施の形態では、本発明をデジタルカメラに適用した例で説明したが、内部にフレキシブルプリント基板が配されるカメラであれば銀塩カメラにも適用することができる。
【００４２】
【発明の効果】
以上説明したように、本発明によれば、外装体を外すと、外装体の内側に配されたフレキシブルプリント基板が破壊され、あるいはコネクタが再接続不能となり、再使用不能になる。これにより、フレキシブルプリント基板自体を交換しない限りカメラは使用不能になるので、効果的に不正な再利用を防止することができる。また、リサイクルのシステム化が可能になり、リサイクル性が向上して、安価なリサイクルデジタルカメラを提供することができるようになる。
【図面の簡単な説明】
【図１】本発明が適用されたデジタルカメラの分解斜視図
【図２】本発明が適用されたデジタルカメラの背面図
【図３】フレキシブルプリント基板の接続部の構成を示す平面図
【図４】フレキシブルプリント基板の作用の説明図
【図５】フレキシブルプリント基板の第２の実施の形態の要部の構成を示す斜視図
【図６】フレキシブルプリント基板の作用の説明図
【図７】フレキシブルプリント基板の第３の実施の形態の要部の構成を示す斜視図（接続前）
【図８】フレキシブルプリント基板の第３の実施の形態の要部の構成を示す斜視図（接続時）
【図９】フレキシブルプリント基板の第３の実施の形態の要部の構成を示す斜視図（分離時）
【符号の説明】
１０…デジタルカメラ、１２Ａ…フロントカバー、１２Ｂ…リアカバー、１４…プロセス基板、１６…電源ストロボ基板、１８…ＣＡＭ基板、２０…レンズユニット、２２…液晶モニタユニット、２４…バッテリユニット、２８…メインフレーム、３０…操作ダイヤル、３２…操作ボタン、３４…レリーズボタン、３６…電源ボタン、３８…操作ダイヤル基板、３８Ａ、４０Ａ、４２Ａ…フレキシブルプリント基板、４０…操作ボタン基板、４０ａ…オスコネクタ、４０ｂ…切れ込み、４２…レリーズ・電源ボタン基板、５０…フレキシブルプリント基板、５０Ａ…上層、５０Ｂ…下層、５２Ａ、５２Ｂ…接続部、５２ａ、５２ｂ…穴、５４Ａ、５４Ｂ…フック、６０…フレキシブルプリント基板、６２…オスコネクタ、６２Ａ…ベース部、６２Ｂ…分離部、６２Ｃ…嵌合部、６４…メスコネクタ、６６…内部線
【図１】
0004189848.tif 000002
【図２】
0004189848.tif 000003
【図３】
0004189848.tif 000004
【図４】
0004189848.tif 000005
【図５】
0004189848.tif 000006
【図６】
0004189848.tif 000007
【図７】
0004189848.tif 000008
【図８】
0004189848.tif 000009
【図９】
0004189848.tif 000010